(57)【要約】【課題】遊技機本体裏側に取付けた基板ケースの係合解除を確実に阻止できるようにすること、基板ケースが大型化することなく簡単な機構で且つ容易に係合解除を阻止できるようにすること。【解決手段】本体ケース３６に設けた上下２つの取付け部４６ａ，４６ｂの間に解除阻止部材５１を設け、この解除阻止部材５１は、上下２つの係合部３８，３９の間に位置する本体部５１ａと、この本体部５１ａに連なる係合解除阻止用の阻止部５１ｃと、回動操作用の操作部５１ｂと、阻止部５１ｃの両端に突設されて本体ケース３６の１対の係止穴４５に嵌めて係止された１対の係止爪５１ｄとを備える。その操作部５１ｂを前方斜め方向に押し込むだけで、解除阻止部材５１を係合部３８，３９のスライド方向と平行な回動中心回りに回動させて、係合解除を阻止しない位置から係合解除を阻止する位置へ切換えできる。【選択図】図６
2006305391.tif 000002
【特許請求の範囲】
【請求項１】
基板(33)と、該基板(33)を収納する基板ケース(32)とを備えた弾球遊技機において、
前記基板ケース(32)は本体ケース(36)と該本体ケース(36)を覆うカバーケース(37)とを有し、前記本体ケース(36)に形成した係合部(38 〜41) を遊技機本体裏側に設けた取付け部(46a〜46d)に係合させて基板ケース(32)を取付ける取付け機構(35)を備え、
前記係合部(38)が取付け部(46a) から係合解除しないように阻止する解除阻止部材(51)を前記本体ケース(36)に設け、
前記解除阻止部材(51)は、本体部(51a) と、該本体部(51a) に連接して設けられた係合解除阻止用の阻止部(51c) と、回動操作用の操作部(51b) と、阻止部(51c) の両端に突設されて本体ケース(36)の１対の穴に嵌めて係止された１対の係止爪(51d) とを備えた、
ことを特徴とする弾球遊技機。
【請求項２】
前記本体部(51a) には、前記係合部(38,39) に接触して解除阻止部材(51)に回動抵抗を付与し且つ解除阻止部材(51)の回動位置を保持する１対の突条(51e) が形成されたことを特徴とする請求項１に記載の弾球遊技機。
【発明の詳細な説明】
【技術分野】
【０００１】
本発明は弾球遊技機に関し、特に基板を収納した基板ケースを取付け機構を介して遊技機本体側に取付けでき、しかも基板ケースが容易に外れないようにしたものに関する。
【背景技術】
【０００２】
従来、パチンコ機等の弾球遊技機においては、弾球遊技の為の制御を司るために、入賞手段への入賞を検知したり、図柄始動手段に入賞したときに抽選する為の抽選用数値を更新する等の遊技盤側の制御を主に司る主制御部、発射ハンドル操作による遊技球の発射制御を司る発射制御部、入賞手段への入賞に伴う遊技球の払出しを制御する払出し制御部、図柄表示用ディスプレイに設けられた図柄表示手段の複数の図柄表示部における図柄を変動制御する図柄制御部、入賞時や大当たり状態においてスピーカを鳴動させるサウンド制御部やランプ点灯用のランプ制御部等、遊技制御の為の複数の制御部が設けられている。
【０００３】
ところで、最近では、図柄制御部、払出し制御部、ランプ制御部等の副制御部の各々を、主制御部とは独立させ且つマイクロコンピュータを備えた別個の制御基板上に構成し、主制御部から各副制御部へ制御コマンドを一方向通信するコマンド送信方式が採用されている。それ故、主制御部のための主制御基板、図柄制御部のための図柄制御基板、ランプ制御部のためのランプ制御基板、更には電源基板等、複数枚の制御基板を、前枠の裏側の裏機構板に設けた裏カバーの後側に着脱可能に装着するようにしてある。（例えば、特許文献１参照）
【０００４】
特に、発射制御部のための発射制御基板については、発射ハンドルの後側に設けた発射モータの後端に取付け機構を介して着脱可能に取付けられている。この取付け機構について簡単に説明する。実施形態に係る図４に示すように、発射用基板ケース３２は、発射制御基板３３を固定した本体ケース３６と、この本体ケース３６を着脱可能に装着されるカバーケース３７とを有している。その本体ケース３６の前面の左端部と右端部とに夫々上下２箇所ずつで合計４箇所に係合部３８〜４１が形成されている。
【０００５】
発射モータ１３の後端には薄板状の取付け板が固定され、この取付け板の左端部と右端とに夫々上下２箇所ずつで合計４箇所に、突起状の取付け部４６ａ〜４６ｃ（３つだけ図示）が形成されている。但し、本体ケース３６に形成した上側の２つの係合部３８，４０の上端は、発射モータ１３に対する取付け位置を位置決めするための位置規制壁部４２の端部で夫々塞がれている。そして、各係合部３８〜４１の各々を対応する取付け部４６ａ〜４６ｃの直ぐ上側に位置させて、基板ケース３２を下方にスライドさせながら押し下げる。これにより、各係合部３８〜４１は取付け部４６ａ〜４６ｃに係合するので、基板ケース３２を発射モータ１３に着脱自在に容易に装着できるようになっている。
【０００６】
このように、基板ケース３２に設けた各係合部３８〜４１を発射モータ１３の取付け板の取付け部４６ａ〜４６ｃに夫々上側から係合させて、基板ケース３２を発射モータ１３に取付けているため、基板ケース３２を上方に引っ張り上げるだけで、基板ケース３２を発射モータ１３から簡単に取り外すことができる。しかし、弾球遊技中にパチンコ機全体が振動するような場合であっても、基板ケース３２の位置規制壁部４２が発射モータ１３に上側から当接するため、基板ケース３２が下側に移動して外れるようなことはない。
【０００７】
ところで、パチンコ機メーカーは、製造した複数台のパチンコ機をトラックに積み込んでパチンコホールに搬送する場合、一般にパチンコ機は、球受け皿や発射ハンドルを設けた下端部分において前方に出っ張っているため、複数台のパチンコ機のトラックへの積み込みに際して、パチンコ機を１列毎に上向きと下向きとに交互に整列させて積み込むことで、出っ張り部分を相互に交わすようにして、パチンコ機の搬送効率を高めている。
【特許文献１】特開平１１−１９３１３号公報
【発明の開示】
【発明が解決しようとする課題】
【０００８】
前述したように、遊技球を発射させる発射制御基板を収納した発射用基板ケースは、それに設けた４つの係合部を発射モータの取付け板に形成した取付け部に上側から係合させて取付けてあるだけなので、パチンコ機のトラックによる搬送途中においては、上下逆さまの状態でトラックに積載されたパチンコ機の発射用基板ケースには、搬送途中の振動により取り外す方向に力が作用してスライドし、極端な場合には、発射用基板ケースが発射モータから外れてしまうという問題がある。
【０００９】
そこで、パチンコ機をトラックに積み込むときに、各発射用基板ケースが輸送中に外れないように、粘着テープ等で縛ることも可能であるが、積み込み作業が複雑化すること、多大の積み込み作業時間を要すること、等の問題がある。
本発明の目的は、遊技機本体裏側に取付けた基板ケースの係合解除を確実に阻止できるようにすること、基板ケースが大型化することなく簡単な機構で且つ容易に係合解除を阻止できるようにすること、等である。
【課題を解決するための手段】
【００１０】
請求項１の弾球遊技機は、基板と、該基板を収納する基板ケースとを備えた弾球遊技機において、基板ケースは本体ケースと該本体ケースを覆うカバーケースとを有し、本体ケースに形成した係合部を遊技機本体裏側に設けた取付け部に係合させて基板ケースを取付ける取付け機構を備え、係合部が取付け部から係合解除しないように阻止する解除阻止部材を本体ケースに設け、解除阻止部材は、本体部と、該本体部に連接して設けられた係合解除阻止用の阻止部と、回動操作用の操作部と、阻止部の両端に突設されて本体ケースの１対の穴に嵌めて係止された１対の係止爪とを備えたものである。
【００１１】
取付け機構により、本体ケースの係合部を遊技機本体裏側に設けた取付け部に係合させるだけで、基板ケースを取付けることができる。このとき、本体ケースに設けた解除阻止部材により、係合部が取付け部から係合解除しないように阻止することができる。
【００１２】
また、前記解除阻止部材が、本体部と、該本体部に連接して設けられた係合解除阻止用の阻止部と、回動操作用の操作部と、阻止部の両端に突設されて本体ケースの１対の穴に嵌めて係止された１対の係止爪とを備えたので、１対の係止爪を本体ケースの１対の穴に係止させた状態で操作部を回動操作するだけで、解除阻止部材は係合解除を阻止する位置に切換えられ、本体部に連接する阻止部により係合解除を容易に阻止することができる。
【００１３】
請求項２の弾球遊技機は、請求項１の発明において、本体部には、係合部に接触して解除阻止部材に回動抵抗を付与し且つ解除阻止部材の回動位置を保持する１対の突条が形成されたので、本体部に設けた１対の突条により、解除阻止部材は係合部に対して回動抵抗があるため、解除阻止部材を係合解除を阻止する位置に切換えるだけで、その位置に保持することができる。即ち、解除阻止部材による係合解除の阻止状態を確実に継続することができる。
【発明の効果】
【００１４】
請求項１の発明によれば、基板ケースは本体ケースと該本体ケースを覆うカバーケースとを有し、本体ケースに形成した係合部を遊技機本体裏側に設けた取付け部に係合させて基板ケースを取付ける取付け機構を備え、係合部が取付け部から係合解除しないように阻止する解除阻止部材を本体ケースに設けたので、取付け機構により、基板ケースを遊技機本体裏側の取付け部に取付けたとき、解除阻止部材により、係合部が取付け部から係合解除しないように阻止することができる。それ故、基板ケースに係合を解除するような外力が作用した場合でも、基板ケースが遊技機本体裏側の取付け部から外れることを確実に阻止することができる。
【００１５】
前記解除阻止部材が、本体部と、該本体部に連接して設けられた係合解除阻止用の阻止部と、回動操作用の操作部と、阻止部の両端に突設されて本体ケースの１対の穴に嵌めて係止された１対の係止爪とを備えたので、１対の係止爪を本体ケースの１対の穴に係止させた状態で操作部を回動操作するだけで、解除阻止部材は係合解除を阻止する位置に切換えられ、本体部に連接する阻止部により係合解除を容易に阻止することができる。
【００１６】
請求項２の発明によれば、前記本体部には、係合部に接触して解除阻止部材に回動抵抗を付与し且つ解除阻止部材の回動位置を保持する１対の突条が形成されたので、本体部に設けた１対の突条により、解除阻止部材は係合部に対して回動抵抗があるため、解除阻止部材を係合解除を阻止する位置に切換えるだけで、その位置に保持することができる。即ち、解除阻止部材による係合解除の阻止状態を確実に継続することができる。
【発明を実施するための最良の形態】
【００１７】
本発明に係る弾球遊技機は、基板と、該基板を収納する基板ケースとを備え、基板ケースは本体ケースと該本体ケースを覆うカバーケースとを有し、本体ケースに形成した係合部を遊技機本体裏側に設けた取付け部に係合させて基板ケースを取付ける取付け機構を備え、係合部が取付け部から係合解除しないように阻止する解除阻止部材を本体ケースに設け、解除阻止部材は、本体部と、該本体部に連接して設けられた係合解除阻止用の阻止部と、回動操作用の操作部と、阻止部の両端に突設されて本体ケースの１対の穴に嵌めて係止された１対の係止爪とを備えたものである。
【実施例】
【００１８】
以下、本発明の実施の形態について図面に基いて説明する。
本実施形態は、パチンコホールの島構造体に設置される所謂カード式弾球遊技機と呼ばれる第１種パチンコ機に本発明を適用した場合の一例であり、パチンコホールに設けられた島構造体には、その長さ方向に複数のカード式球貸し機１と複数のパチンコ機２とが交互に配設され、カード式球貸し機１はパチンコ機２に電気的に接続されている。
【００１９】
図１に示すように、カード式弾球遊技機であるパチンコ機２は、矩形枠状の外枠３と、この外枠３に開閉自在に枢着された前枠４とを有し、カード式球貸し機１をサンドイッチ状に挟持する状態で、外枠３が島構造体（図示略）に着脱自在に装着されている。前枠４には、遊技盤５が裏側から着脱自在に装着され、遊技盤５の前側に対応させて、窓部６ａを有するガラス扉６と球受け皿（上皿）８の前面板（図示略）とが夫々開閉自在に枢着されている。前枠４の下部には、球受け皿８から溢流し又は抜き取った遊技球（これが遊技媒体に相当する）を貯留する下皿９と、発射手段１０の発射ハンドル１１とが設けられている。
【００２０】
発射手段１０は、回動操作可能な発射ハンドル１１と、この発射ハンドル１１の回動角度に応じた打撃力で打撃槌１２により遊技球を発射させる発射モータ１３などを備えている。球受け皿８の右部には、カード式球貸し機１に対する球貸し操作用の操作パネル１４が設けられ、この操作パネル１４には、カード残額を３桁の数字で表示するカード残額表示部１４ａと、所定金額分の遊技球の球貸しを指示する球貸しスイッチ１４ｂと、遊技終了時にカードの返却を指令する返却スイッチ１４ｃとが設けられている。
【００２１】
ここで、遊技盤５は図示していないが、金属製のガイドレールの内側の遊技領域に、図柄表示手段であるカラーの液晶ディスプレイ、電動式チューリップである図柄始動手段、開閉式入賞手段（大入賞手段）複数の普通入賞手段、ゲート（通過口）等が夫々所定の位置に配設されている。図２〜図３に示すように、前枠４の裏側には、遊技盤５を裏側から押さえる裏機構板１６が着脱自在に装着され、この裏機構板１６には開口部１６ａが形成され、その上側に球タンク１７と、これから延びるタンクレール１８とが設けられ、このタンクレール１８に接続された払出し手段１９が裏機構板１６の側部に設けられている。
【００２２】
裏機構板１６の下側には、払出し手段１９に接続された通路ユニット２０が設けられている。払出し手段１９から払出された遊技球は通路ユニット２０を経由して球受け皿８に払出される。裏機構板１６の開口部１６ａには、遊技盤５の裏側に装着された裏カバー２１と、入賞手段に入賞した遊技球を排出する入賞球排出樋（図示略）とが夫々嵌合されている。この裏カバー２１に装着された基板ケース２２の内部に主制御基板２３が配設され、その前側に図柄制御基板２４が配設されている。
【００２３】
主制御基板２３の下側で、裏カバー２１に装着された基板ケース２５の内部には、ランプ制御基板２６が設けられ、この基板ケース２５に隣接する基板ケース２７の内部には、サウンド制御基板２８が設けられている。これら基板ケース２５，２７の下側で裏機構板１６に装着された基板ケース２９の内部には、電源基板３０と払出し制御基板３１が夫々設けられている。更に、発射手段１０の後側に対応する前枠４の下端部に発射モータ１３が固定され、その発射モータ１３の後端に装着された発射用基板ケース３２の内部には、発射制御基板３３が設けられている。
【００２４】
即ち、これら制御基板２３〜２４，２６〜２８，３０〜３１，３３は夫々独立の基板で構成されており、電源基板３０と発射制御基板３３を除く制御基板２３，２４，２６，２８，３１には、ＣＰＵとＲＯＭやＲＡＭ等を有する１チップ集積回路からなるマイクロコンピュータが夫々設けられている。主制御基板２３とその他の制御基板２４，２６，２８，３１とは、複数本の信号線でコネクタを介して電気的に接続され、主制御基板２３から各制御基板２４，２６，２８，３１に、所定の遊技動作を実行させる種々の制御コマンドを一方向通信にて送信可能になっている。
【００２５】
次に、発射用基板ケース３２を発射モータ１３の後端に取付ける取付け機構３５について説明する。図４〜図８に示すように、基板ケース３２は、発射制御基板３３を固定した本体ケース３６と、この本体ケース３６に後側から着脱可能に装着されるカバーケース３７等から構成されている。本体ケース３６の前面の左端部と右端部とに夫々上下２箇所ずつで合計４箇所に係合部３８〜４１が形成されている。これら本体ケース３６とカバーケース３７は、夫々透明な合成樹脂製のケースである。
【００２６】
これら４つの係合部３８〜４１の各々は、内側に直角に鉤状に曲げ形成された係合壁部（左右方向向きの壁）３８ａ〜４１ａが形成されている。特に、上側の２つの係合部３８，４０の上端は、発射モータ１３に対する取付け位置を位置決めするために、前方突出状に本体ケース３６と一体形成された湾曲状の位置規制壁部４２の左右両端部で夫々塞がれている。各係合部３８〜４１の直ぐ内側の本体ケース３６には、後述する発射モータ１３の後端に取付けた取付け板４６の取付け部４６ａ〜４６ｄを、係合部３８〜４１の係合壁部３８ａ〜４１ａに後側から押圧状に当接させる押圧突起部４３が夫々形成されている。
【００２７】
ここで、位置規制壁部４２の下側の本体ケース３６には、所定距離をおいて上下方向に直線状に形成された３つのスライド案内部４４が前方突出状に形成されている。基板ケース３２の取付けに際しては、これらスライド案内部４４を発射モータ１３の取付け板４６に沿わせながら、基板ケース３２を下方に、つまり発射制御基板３３と平行な方向にスライドさせるだけで、本体ケース３６の係合部３８〜４１を取付け板４６に形成した取付け部４６ａ〜４６ｄに係合させて、基板ケース３２を取付けるようになっている。
【００２８】
ところで、発射モータ１３の後端には、薄板状の取付け板４６が固定され、この取付け板４６の左端部と右端部とに夫々上下２箇所ずつで合計４箇所に、突起状の取付け部４６ａ〜４６ｄが夫々形成されている。各取付け部４６ａ〜４６ｄの略中央部には、基板ケース３２を取付け板４６に取付けたときに、押圧突起部４３が嵌まり込む小型の嵌合穴（図示略）が夫々形成されている。
【００２９】
次に、本体ケース３６の係合部３８〜４１の取付け部４６ａ〜４６ｄに対する係合解除を阻止する解除阻止部材５１について説明する。図４〜図８に示すように、解除阻止部材５１は、左側の上下２つの係合部３８，３９の間に位置する本体部５１ａと、この本体部５１ａから左方に延びた回動操作用の操作部５１ｂと、本体部５１ａの後端部の右側に連なり断面矩形状で係合解除阻止用の阻止部５１ｃと、その阻止部５１ｃの上下両端部から後方に向けて突設した上下１対の係止爪５１ｄとを一体的に形成したものである。
【００３０】
左側の上下１対の係合部３８，３９の係合壁部３８ａ，３９ａに対抗する本体ケース３６には、上下に長い矩形状の係止穴４５が夫々形成されている。そして、上側の係止爪５１ｄは上側の係止穴４５の下端に臨む本体ケース３６の係止部３６ａに嵌めて係止されるとともに、下側の係止爪５１ｄは下側の係止穴４５の上端に臨む本体ケース３６の係止部３６ｂに止めて係止されている。ここで、これら２つの係止部３６ａ，３６ｂは、係止爪５１ｄに対応して後側を凹むように薄く形成した薄肉状になっている。
【００３１】
更に、各係止爪５１ｄの幅寸法は、係止穴４５の幅寸法よりも若干狭く形成されている。これにより、解除阻止部材５１は、係止部３６ａ，３６ｂの薄肉状に凹んだ凹み量だけ前後に移動可能になっている。このように、係止爪５１ｄが前後に移動可能であり、しかも係止爪５１ｄは係止部３６ａ・３６ｂよりも微小寸法だけ狭い幅になっていることから、解除阻止部材５１は、スライド方向である上下方向と平行な回動中心回りに所定角度に亙って回動可能になっている。
【００３２】
ここで、本体部５１ａの縦寸法は、２つの係合部３８，３９間の距離と略等しいが、本体部５１ａの上端面と下端面とに、前後方向に延びる細い突条５１ｅが夫々形成され、解除阻止部材５１は１対の突条５１ｅを介して２つの係合部３８，３９の間に圧入状に嵌め込まれている。それ故、解除阻止部材５１を回動操作により、係合解除を阻止しない退避位置（これが係合解除を阻止しない位置に相当し、図９参照）であっても、この退避位置から係合解除を阻止する解除阻止位置（図１０参照）に回動させて位置切換えした場合でも、解除阻止部材５１に回動抵抗を付与してこれらの回動位置に確実に保持することができる。
【００３３】
次に、取付け機構３５により発射用基板ケース３２を発射モータ１３に取付ける作用について説明する。先ず、図８、図９に示すように、取付け板４６の左上の取付け部４６ａが阻止部５１ｃの前端部に衝突しないように、解除阻止部材５１を後方に充分に押し込んで、操作部５１ｂを左方向きにし、解除阻止部材５１を退避位置（図９参照）に移動させておく。図４に示すように、本体ケース３６に形成した４つの係合部３８〜４１を対応する取付け部４６ａ〜４６ｄの直ぐ上側に位置するように基板ケース３２を接近させてから基板ケース３２を下方に押し下げる。
【００３４】
このとき、スライド案内部４４を取付け板４６の後端に沿わせながら下方にスライドさせるだけで、４つの係合部３８〜４１を対応する取付け部４６ａ〜４６ｄに略同時に係合により取付けることができる。このとき、位置規制壁部４２が発射モータ１３の後端部の上端に上側から当接するとともに、４つの押圧突起部４３が対応する嵌合穴に夫々嵌まり込むため（図７参照）、基板ケース３２はこれらの当接及び嵌合を介して所定の取付け位置に位置決めされた状態で、発射モータ１３に取付けられる。しかし、この状態では、基板ケース３２は上方に外れ易いため、解除阻止部材５１により、基板ケース３２の上方への係合解除を阻止できるようになっている。
【００３５】
次に、解除阻止部材５１の作用について説明する。図１０に示すように、解除阻止部材５１の操作部５１ｂを前方斜め方向に押し込む。このとき、上下１対の突条５１ｅの後端近傍部が上下の係合部３８，３９に押圧状に当接しているため、解除阻止部材５１はこれら突条５１ｅの後端近傍部を結ぶ上下方向と平行な回動中心回りに、つまり平面視にて反時計回りに回動する。その後、係止爪５１ｄの左端が本体ケース３６の側壁部３６ｃの内側に当接（Ｐ位置参照）する。この状態を経て、操作部５１ｂを更に前方斜め方向に押す。
【００３６】
その結果、係止爪５１ｄの左端が側壁部３６ｃの内側に当接した当接位置Ｐを次の回動中心として作用するため、突条５１ｅによる回動抵抗に抗して、解除阻止部材５１は、その当接位置Ｐを側壁部３６ｃに当接しながら、しかも係止爪５１ｄの基端部が係止穴４５の右端Ｑに当接しながら、係止爪５１ｄの爪部が薄肉状の係止部３６ａ，３６ｂの奥に入り込むまで、上下方向と平行な回動中心回りに回動する。そして、係止爪５１ｄの爪部の左端が係止部３６ａ，３６ｂに当接した位置でその回動が阻止される。
【００３７】
それ故、解除阻止部材５１は、図１０に示すように、反時計回りに所定角度だけ回動し且つ前方に移動した解除阻止位置で保持されることになる。このときには、阻止部５１ｃの上端部が、上側の取付け部４６ａの先端部の下側に臨んでいるため、その取付け部４６ａは阻止部５１ｃ及び本体部５１ａの一部により、下方への移動、つまり係合部３８は取付け部４６ａから係合解除しないように確実に阻止されている。即ち、解除阻止部材５１がこの解除阻止位置で保持される限り、基板ケース３２の係合解除が確実に阻止されている。
【００３８】
ところで、図１１に示すように、操作部５１ｂを時計回りに回動させて、操作部５１ｂを左方向に向くようにしてもよい。この場合、阻止部５１ｃの取付け部４６ａに対する係合量が大きくなり、係合解除を阻止する阻止機能が増大する。ここで、解除阻止部材５１の操作部５１ｂを時計回りに回動させながら解除阻止部材５１を後方に移動させるだけで、解除阻止部材５１は元の待機位置に復帰するため、各係合部３８〜４１は取付け部４６ａ〜４６ｄに対して上方に移動可能となり、基板ケース３２を上方に持ち上げるだけで、従来と同様に容易に取り外すことができる。
【００３９】
このように、取付け機構３５により、本体ケース３６に形成した係合部３８〜４１を、発射モータ１３に取付けた取付け板４６に設けた取付け部４６ａ〜４６ｄに下方へのスライドにより係合させて、基板ケース３２を着脱自在に発射モータ１３に取付けることができる。
【００４０】
更に、左側の上下２つの取付け部４６ａ，４６ｂの間に解除阻止部材５１を設け、この解除阻止部材５１は、上下２つの係合部３８，３９の間に位置する本体部５１ａと、この本体部５１ａに連なる係合解除阻止用の阻止部５１ｃと、回動操作用の操作部５１ｂと、阻止部５１ｃの両端に突設されて本体ケース３６の１対の係止穴４５に嵌めて係止された１対の係止爪５１ｄとを備えたので、解除阻止部材５１の操作部５１ｂを前方斜め方向に押し込むだけで、解除阻止部材５１を係合部３８，３９のスライド方向と平行な回動中心回りに回動させて、係合解除を阻止しない位置から係合解除を阻止する位置へ切換えでき、係合解除の阻止操作を簡単化することができる。
【００４１】
更に、解除阻止部材５１の本体部５１ａの上端面と下端面には、上下の係合部３８，３９に接触して解除阻止部材５１に回動抵抗を付与し且つ解除阻止部材５１の回動位置を保持する１対の突条５１ｅを形成したので、この突条５１ｅにより、解除阻止部材５１は係合部３８，３９に対して回動抵抗が付与されるため、解除阻止部材５１を係合解除を阻止する位置に切換えるだけで、その位置に保持することができる。即ち、解除阻止部材５１による係合解除の阻止状態を確実に継続することができる。
【００４２】
それ故、製造した複数台のパチンコ機２をトラックに積み込んでパチンコ店に搬送する場合に、搬送効率を高める上で、出っ張り部分を相互に交わすようにして、パチンコ機を１列毎に上向きと下向きとに交互に整列させて積み込んだ場合、上下逆さまの状態でトラックに積載されたパチンコ機の発射用基板ケースが搬送途中の振動で、外れる方向に外力を受けても、基板ケース３２の取付けが外れるのを、解除阻止部材５１により確実に防止することができる。
【００４３】
前記実施形態の変更形態について説明する。
１〕解除阻止部材５１は上下１対の係合部３８，３９にヒンジにより回動可能に枢支されるように構成してもよい。
２〕解除阻止部材５１を他方の上下１対の係合部４０，４１の間に配置するようにし、左右２つの解除阻止部材５１で係合解除を阻止するようにしてもよい。
３〕発射用基板ケース３２以外の基板ケース２２，２５，２７，２９・・を裏カバー２１等の種々の部品の取付け部に係合により取付けた場合の係合解除を、解除阻止部材により阻止するようにしてもよい。
【００４４】
４〕本体ケース３６に形成する係合部が５つ以上であり、しかも発射モータ１３に取付けた取付け板４６に形成する取付け部も５つ以上であってもよい。
５〕解除阻止部材５１を本体ケース３６に一体的に形成し、これら解除阻止部材５１と本体ケース３６の可撓性及び弾性により、解除阻止部材５１で係合解除と係合解除を阻止するように構成してもよい。
６〕本発明は、以上説明した実施形態に限定されるものではなく、本発明の趣旨を逸脱しない範囲で種々変更を付加し、更に、パチンコ機に限らず、各種の遊技媒体を用いるアレンジボール機、回胴機、雀球機等の種々の遊技機に本発明を適用することが可能である。
【図面の簡単な説明】
【００４５】
【図１】本発明の実施形態に係るパチンコ機（弾球遊技機）の斜視図である。
【図２】パチンコ機の背面図である。
【図３】パチンコ機の側面図である。
【図４】発射用基板ケースの分解斜視図である。
【図５】本体ケースの正面図である。
【図６】本体ケースの要部拡大部分斜視図である。
【図７】図５のＧ−Ｇ線縦断側面図である。
【図８】図５のＨ−Ｈ線縦断側面図である。
【図９】図５のＩ−Ｉ線横断平面図である。
【図１０】係合阻止部材を解除阻止位置に回動させた図９相当図である。
【図１１】係合阻止部材の向きを左右に向けた図９相当図である。
【符号の説明】
【００４６】
２パチンコ機（弾球遊技機）
１３発射モータ
５１解除阻止部材
３２基板ケース
３３発射制御基板
３５取付け機構
３６本体ケース
３７カバーケース
３８〜４１係合部
４６ａ〜４６ｄ取付け部
５１解除阻止部材
５１ａ本体部
５１ｂ操作部
５１ｃ阻止部
５１ｄ係止爪
５１ｅ突条
【図１】
2006305391.tif 000003
【図２】
2006305391.tif 000004
【図３】
2006305391.tif 000005
【図４】
2006305391.tif 000006
【図５】
2006305391.tif 000007
【図６】
2006305391.tif 000008
【図７】
2006305391.tif 000009
【図８】
2006305391.tif 000010
【図９】
2006305391.tif 000011
【図１０】
2006305391.tif 000012
【図１１】
2006305391.tif 000013